(57)【特許請求の範囲】
【請求項１】
顧客の皮膚状態を測定するに先立ち、その測定が、皮膚のどの部分におけるどのような因子を指標として行われるかを顧客に提示するために用いられる表示具であって、画像情報処理手段と、上記画像情報処理手段によって処理された画像情報に基づく画像を表示しうる画像表示手段とを備え、上記画像表示手段に、皮膚表面から真皮にいたる皮膚内部を示す肌断面図が表示され、測定項目を示す見出しとその測定の指標となる因子を示す見出しとが、上記肌断面図に図示されたその因子の図柄と関連づけて表示されるようになっていることを特徴とする表示具。
【請求項２】
顧客の皮膚状態を測定するに先立ち、その測定が、皮膚のどの部分におけるどのような因子を指標として行われるかを顧客に提示するために用いられる表示具であって、シート体からなり、上記シート体の表面に、皮膚表面から真皮にいたる皮膚内部を示す肌断面図が表示され、測定項目を示す見出しとその測定の指標となる因子を示す見出しとが、上記肌断面図に図示されたその因子の図柄と関連づけて表示されていることを特徴とする表示具。
【請求項３】
上記測定項目として、皮脂量、水分量、落屑パターン、皮膚温度、ハリ・弾力度の５項目の少なくとも一つの項目が設けられている請求項１または２記載の表示具。
【発明の詳細な説明】
【０００１】
【発明の属する技術分野】
本発明は、化粧品販売員等が、顧客の皮膚状態を測定して評価する際、その測定に先立って用いられる表示具に関するものである。
【０００２】
【従来の技術】
従来から、化粧品販売では、専門の販売員が、店頭あるいは訪問販売先で、化粧品メーカーから配布された化粧品販売促進用シートに基づいて顧客に化粧品の売り込みを行っている。
【０００３】
【発明が解決しようとする課題】
しかしながら、各メーカーが多種多様の化粧品を販売し、各メーカーがそれぞれ近似した販売促進をしている現状では、化粧品自体の独自性よりも、いかに顧客に信頼され、かつ好ましい印象を与えることができるかが顧客の購買力を引き出す大きなポイントとなる。そこで、最近では、専用の測定機器を用いて顧客の皮膚状態を測定し、その測定結果に基づいてその人の肌に合うと思われる化粧品をアドバイスすることが行われている。
【０００４】
しかし、従来の測定機器による皮膚状態の測定では、担当員（化粧品販売員，担当カウンセラー等）が、「まず、あなたの肌の状態をみてみましょう。」といった簡単なコメントを述べただけで測定を開始することが多いため、顧客にすれば、なぜその測定が必要か、どんな根拠で肌の状態を評価するのか、といった基本的な理解がなされないまま、測定を受けることになり、測定自体にあまり興味をもてないという問題が生じやすい。また、測定を時間のロスと感じ、できるだけこれを省略したがる顧客が多いという問題もある。
【０００５】
そこで、測定に先立って、その意義や、測定の根拠となる諸因子に関する説明等を行うことが検討されているが、皮膚状態評価のためには、通常、複数の測定項目が用意されているため、各項目ごとにいちいち説明すると、時間がかかり、内容も難しくなるという問題がある。また、そのやりとりを、顧客が煩わしく感じる場合もある。一方、メーカー側にとっても、上記説明を簡潔かつ明瞭に行うには、一定のテクニックが必要なため、充分な社員教育が要求され、その負担が大きくなるという問題もある。
【０００６】
本発明は、このような事情に鑑みなされたもので、皮膚に対する測定に先立って、顧客に、その測定の意義等を、一目で簡単に理解させることができる表示具の提供をその目的とする。
【０００７】
【課題を解決するための手段】
上記の目的を達成するため、本発明は、顧客の皮膚状態を測定するに先立ち、その測定が、皮膚のどの部分におけるどのような因子を指標として行われるかを顧客に提示するために用いられる表示具であって、画像情報処理手段と、上記画像情報処理手段によって処理された画像情報に基づく画像を表示しうる画像表示手段とを備え、上記画像表示手段に、皮膚表面から真皮にいたる皮膚内部を示す肌断面図が表示され、測定項目を示す見出しとその測定の指標となる因子を示す見出しとが、上記肌断面図に図示されたその因子の図柄と関連づけて表示されるようになっている表示具を第１の要旨とする。
【０００８】
また、本発明は、顧客の皮膚状態を測定するに先立ち、その測定が、皮膚のどの部分におけるどのような因子を指標として行われるかを顧客に提示するために用いられる表示具であって、シート体からなり、上記シート体の表面に、皮膚表面から真皮にいたる皮膚内部を示す肌断面図が表示され、測定項目を示す見出しとその測定の指標となる因子を示す見出しとが、上記肌断面図に図示されたその因子の図柄と関連づけて表示されている表示具を第２の要旨とする。
【０００９】
さらに、本発明は、上記第１の要旨または第２の要旨である表示具のなかでも、特に、上記測定項目として、皮脂量、水分量、落屑パターン、皮膚温度、ハリ・弾力度の５項目の少なくとも一つの項目が設けられている表示具を第３の要旨とする。
【００１０】
すなわち、本発明によれば、皮膚に対する測定の意義等が一目でわかるよう視覚的に表示された特殊な表示具を用い、測定に先立って、その意義等を顧客に提示するようになっている。したがって、被測定者である顧客は、この表示具をみるだけで、即座に、測定の意義等を理解することができるため、その必要性を充分に納得した上で、興味深く測定を受けることができる。
【００１１】
一方、担当員も、上記表示具を提示するだけで、測定の意義等を顧客に理解させることができるため、熟練した技術を要することがない。このため、メーカー側にとっても、社員教育コストを低く抑えることができるという利点を有する。
【００１２】
【発明の実施の形態】
つぎに、本発明の実施の形態を説明する。
【００１３】
図１は、本発明の、皮膚状態評価方法に用いる装置の一例を示している。この装置は、１０インチの液晶カラーモニター４と、本体部５からなり、上記本体部５には、肌状態を測定する素肌センサ１と、皮脂量を測定するオイリーチェッカー２と、皮膚表面撮像用の拡大カメラ３とが、着脱自在に係合保持されるようになっている。
【００１４】
上記素肌センサ１は、図２（ａ）に示すように、先端部がやや傾斜した形状のプラスチック製のケーシング７を備え、その傾斜部根元部分の内側に、皮膚温度センサと水分量センサを作動させるためのオン・オフスイッチ８が設けられている。また、傾斜部根元部分の外側には、弾力性センサを作動させるためのオン・オフスイッチ９が設けられている。
【００１５】
そして、上記素肌センサ１の傾斜部先端面には、図２（ａ）のＡ−Ａ′矢視図である同図（ｂ）に示すように、皮膚温度センサ１０と、水分量センサ１１と、弾力性センサ１２とが、並べて設けられている。
【００１６】
上記皮膚温度センサ１０には、サーモパイル（赤外放射温度計）が皮膚に対し非接触式となるよう内蔵されており、その周囲を皮膚に押圧することにより、皮膚温度を電気信号として取り出し、皮膚温度が測定できるようになっている。
【００１７】
また、上記水分量センサ１１は、その先端面に、絶縁体部を介して２つの導電体部が形成されており、先端面を皮膚に押圧することにより、２つの導電体部が皮膚表面の水分によって通電し、その電気抵抗値の変化を電気信号として取り出すことにより、皮膚表面水分量が測定できるようになっている。
【００１８】
さらに、上記弾力性センサ１２は、その先端面に突出ピンが弾力的に保持されており、この突出ピンで皮膚を押圧することにより、その振動数の変化から、皮膚の弾力性が測定できるようになっている。
【００１９】
一方、本体部５（図１に戻る）に係合保持された状態において、上記素肌センサ１の隣に配備されるオイリーチェッカー２は、図３（ａ），（ｂ）に示すように、持ちやすいよう左右両面が部分的に平たく面取りされた形状のケーシング２０と、その先端に、弾力的に保持される先端部２１とを備えている。上記先端部２１の先端面２１ａには、金属製の皮脂付着板が設けられており、被測定者の皮脂をこの付着板に付着させて本体部５に設けた皮脂測定ホルダーに挿入し、上記ホルダー内に設けられた赤外線検出手段によってその反射量を検知することにより、皮膚表面の皮脂量を、電流の量として測定することができるようになっている。
【００２０】
また、本体部５（図１に戻る）に係合保持された状態において、上記オイリーチェッカー２の向かって右側に配備される拡大カメラ３は、図４に示すように、前述の素肌センサ１と同様、先端部がやや傾斜した形状のプラスチック製のケーシング３１を備えている。そして、上記ケーシング３１の傾斜部根元部分の外側に、反射画像を撮像するためのオン・オフスイッチ３２と、無反射画像を撮像するためのオン・オフスイッチ３３が設けられている。
【００２１】
そして、撮像された画像は、光学系を通して拡大され、さらにその上部に内蔵されているＣＣＤ回路によって解読されて電気信号に変換されたのち、本体部５内に取り込まれて、液晶カラーモニター４のモニター画面４ａ（図１参照）に動画として映し出すことができるようになっている。また、所定の記憶スイッチを押すことにより、その映し出されている動画を静止画像にして、詳細に観察することができる。さらに、モニター画面４ａを複数に分割して、いろいろな部位の拡大画像を同時に映して観察したり、予め本体部５内にデータとして記憶されている標準画像を呼び出して対比して観察したりすることができる。
【００２２】
なお、上記拡大カメラ３によって得られる反射画像によれば、皮膚表面の色は見にくいが、皮膚の微妙な凹凸が鮮明に区別されるため、肌のきめ細かさ等を観察するのに有効である。一方、上記無反射画像によれば、皮膚表面の凹凸による陰影は映らず、皮膚表面から若干内側に入った部分が見えるため、毛細血管の分布状態や色素の沈着状態，毛根の状態等、皮膚内部の特性やしみ，そばかす等のトラブルを観察するのに有効である。
【００２３】
さらに、この装置では、上記拡大カメラ３を用いて、皮膚表面から採取した角質を観察して、表皮の活性度（この例では「表皮の力」という）を評価することができるようになっている。すなわち、拡大カメラ３を係合保持する凹部５０には、図５に示すように、角質層採取シート６０を斜めに保持するシート保持部６１が形成されており、この部分に、被測定者の皮膚表面から角質を採取した角質層採取シート６０を保持させることにより、その採取部を、上記凹部５０に係合させた姿勢の拡大カメラ３で、撮像できるようになっている。なお、上記シート保持部６１の向かって左側の端部は、凹部５０の内壁面５０ａから一段奥まった内側に形成されており、内壁面５０ａとシート保持部６１との間に形成される隙間６２に、角質層採取シート６０の片端部を差し込むことにより、角質層採取シート６０の位置決め保持がなされるようになっている。
【００２４】
上記角質層採取シート６０は、図６に示すように、上下２枚の透明ポリエステルシート６３，６４を粘着剤層６５を介して接合一体化したもので、上側のシート６３には円形の切欠部６６が形成され、この切欠部６６に、円形の離型片６７が貼着されている。したがって、図７に示すように、上記角質層採取シート６０から離型片６７を剥がして粘着剤層６５の表面を露出させ、この部分を被測定者の適宜の部位（例えば頬，額等）に押圧して剥がすことにより、角質層を付着採取することができるようになっている。
【００２５】
なお、この角質層採取シート６０は、多数枚用意されており、一回の測定ごとに使い捨てられるようになっている。
【００２６】
一方、本体部５の内側には、平面発光素子（エレクトロルミネッセンス）が設けられており（図示せず）、シート保持部６１に保持された角質層採取シート６０の採取部に向かって、内側から透過照明がなされるようになっている。したがって、角質層採取シート６０に採取された角質層の観察を、前記拡大カメラ３に内蔵されたランプからの照明を利用する反射モードと、上記本体部５に内蔵された平面発光素子からの照明を利用する透過モードの２通りのモードを選択して行うことができる。
【００２７】
上記反射モードによる反射画像では、採取された角質層の微妙な凹凸が鮮明に区別され、その陰影が白黒の濃淡によって表示されるため、角質細胞量の多い少ないを評価するのに有効である。また、透過モードによる透過画像では、採取された角質層のうち均一に角質層が分布する部分が青色に表示され、部分的に厚い部分が黒く表示されるため、角質層の均一性を評価するのに有効である。
【００２８】
一方、この装置の本体部５には、拡大カメラ３で撮像される画像情報を処理するとともに、素肌センサ１、オイリーチェッカー２から入力される測定情報を自動的に処理して、被測定者の皮膚の状態を一目でわかりやすいグラフ図等として、液晶カラーモニター４のモニター画面４ａ（図１参照）に表示するよう設定された測定データ処理部が設けられている。
【００２９】
そして、この装置では、皮膚状態を判断するための測定項目として、「皮脂量」、「水分量」、「皮膚温度」、「ハリ・弾力度」、「キメ」、「肌色」、「透明感」、「表皮の力」、「真皮の力」の９項目が設定されており、各項目の測定に用いる測定具、測定因子、測定部位をまとめると、下記の表１に示すようになる。
【００３０】
【表１】
0003749138.tif 000002
【００３１】
ただし、これらの具体的な測定動作に入る前に、装置のモニター画面４ａには、上記各測定項目について測定を行うことの意義等を被測定者に理解してもらうための説明画面が表示されるようになっている。これが、本発明の大きな特徴である。すなわち、この説明画面には、図８に示すように、皮膚表面の角質層と、その下の表皮、真皮、皮下組織にいたる肌断面の模式的なイラスト１２０が示されている。そして、どの部分にあるどのような因子を指標として測定すれば、皮膚状態に関しどのような情報が得られるかについての説明が、上記イラスト１２０を利用して、一目でわかるよう表示されている。
【００３２】
まず、皮膚の表面状態については、上記イラスト１２０における皮膚表面の上部に、拡大カメラ３による画像（反射／無反射）と、ＲＧＢ画像（色情報をＲＧＢで変換した画像）により、表面（凹凸・形態）と内部（色・模様）の情報、キメ、毛穴、肌色、透明感、色素沈着等に関する情報が得られる旨の説明が、２つの帯状枠１２１，１２２内に表示されている。
【００３３】
また、イラスト１２０の表皮上部から引き出される２つの吹き出し部１２３，１２４には、上から順に、その部分の特性（因子）を示す「皮脂膜」、「角質層バリア力」の文字が示されており、それぞれの右側の四角枠１２５，１２６内に、測定項目の見出しである「皮脂量」、「水分量」の文字が表示されている。そして、表皮下部から引き出される吹き出し部１２７には、その部分の特性（因子）を示す「表皮  ターンオーバー」の文字が示されており、その右側の四角枠１２８内に、測定項目の見出しである「落屑パターン」の文字が表示されている。
【００３４】
つぎに、イラスト１２０の真皮部分のうち、毛細血管から引き出される吹き出し部１２９には、「毛細血管  血行」の文字が表示されており、その右側の四角枠１３０内に、「皮フ温」の文字が表示されている。また、真皮部分のうち、点在する線維芽細胞から引き出される吹き出し部１３１には、「線維芽細胞  コラーゲン・エラスチン  ヒアルロン酸」の文字が示されており、その右側の四角枠１３２内には、「ハリ・弾力度」の文字が示されている。
【００３５】
したがって、この画面をみれば、この装置で可能な９つの測定項目（前述の表１参照）のそれぞれの意義と肌の仕組みを、肌断面図に照らして、一目で把握することができるようになっている。なお、上記９つの測定項目のうち、「キメ」、「肌色」、「透明感」の３つについては、肌断面図のイラスト１２０の上部の、拡大カメラ画像の説明においてなされている。また、「表皮の力」は、図８における「落屑パターン」と同じであり、「真皮の力」は、図８における「皮フ温」と「ハリ・弾力度」の組み合わせである。
【００３６】
このように、上記説明画面により、測定の意義や評価の根拠を理解した上で、被測定者は、各測定項目について、測定を行うことができる。なお、測定の開始時には、モニター画面４ａに、図９に示すようなメニュー画面が表示されるようになっている。そこで、この画面に表示された各項目のいずれかを被測定者もしくは担当員が選択すると、用いる測定具とその具体的な測定方法について、モニター画面４ａもしくは音声で指示が与えられる。これにしたがって測定を行うことにより、測定結果が、上記本体部５のデータ処理部で自動的に行われ、モニター画面４ａに、グラフ図等の結果が表示されるようになっている。
【００３７】
上記装置によれば、実際の測定に先立って、液晶カラーモニター４のモニター画面４ａにおいて、皮膚に対する測定の意義等が一目でわかる説明画面が表示されるようになっているため、この画面を見るだけで、被測定者である顧客は、皮膚の表面から真皮に至る各部位に対する多種類の複雑な測定の意義等を、即座に理解することができる。したがって、顧客が、各測定の必要性を充分に納得した上で、興味深く測定を受けることができるようになり、一連の測定作業を円滑に行うことができる。一方、担当員も、上記表示具を提示するだけで、測定の意義等を顧客に理解させることができるため、熟練した技術を要することがない。このため、メーカー側にとっても、社員教育コストを低く抑えることができるという利点を有する。
【００３８】
なお、上記の例において、評価項目は、皮膚状態を評価するのに適した項目であれば、特に限定するものではないが、本発明は、皮膚表面から真皮に至るまで、様々な因子に注目して測定を行い、総合的な評価を与えるようなシステムにおいて、特に有効である。その場合、皮脂量、水分量、落屑パターン、皮膚温度、ハリ・弾力度の５項目の少なくとも一つの項目が設けられていることが好適である。
【００３９】
そして、測定および評価のために用いる装置は、上記の例に限らず、測定項目に応じて適宜のものを用いることができる。そして、測定の意義や測定項目のメニュー、測定結果等を表示する表示手段も、液晶カラーモニター４に限らず、ＣＲＴやＴＶカラーモニター等、各種の画像表示手段を用いることができる。
【００４０】
また、測定の意義等に関する表示を、上記の例のように、測定装置に組み込まれている画像表示手段を利用して行うのではなく、一枚の剛性シートや、パネル体等を用いて行うようにしてもよい。その場合は、シートやパネル体の表面に、図８に示すような表示を付与したものを用意する。そして、測定に先立って、これらのシート等を顧客に提示することにより、上記の例と同様の効果を得ることができる。
【００４１】
なお、測定に先立って、測定の意義等を表示する表示具を提示する態様としては、担当者が顧客とやりとりしながら提示する態様（対面式）と、顧客が、自分自身で上記表示具の表示を見る態様（セルフ式）の二通りがあり、いずれの態様であってもよい。
【００４２】
【発明の効果】
以上のように、本発明の表示具によれば、実際の測定に先立って、皮膚に対する測定の意義等が一目でわかる説明表示を顧客に提示することができるため、被測定者である顧客は、測定の意義等を即座に理解することができ、測定の必要性を充分に納得した上で、興味深く測定を受けることができる。したがって、測定作業が円滑に進行し、効率よく測定結果を得ることができる。一方、担当員も、上記表示具を提示するだけで、測定の意義等を顧客に理解させることができるため、熟練した技術を要することがない。このため、メーカー側にとっても、社員教育コストを低く抑えることができるという利点を有する。
【図面の簡単な説明】
【図１】本発明に用いる皮膚状態測定装置の一例を示す斜視図である。
【図２】（ａ）は上記実施例に用いる素肌センサの正面図、（ｂ）はそのＡ−Ａ′矢視図である。
【図３】（ａ）は上記実施例に用いるオイリーチェッカーの正面図、（ｂ）はその側面図である。
【図４】上記実施例に用いる拡大カメラの正面図である。
【図５】上記拡大カメラを外した状態における本体部の部分的な斜視図である。
【図６】角質層採取シートの断面図である。
【図７】上記角質層採取シートの使用態様の説明図である。
【図８】上記実施例のモニター画面の表示内容の一例である。
【図９】上記実施例のモニター画面の表示内容の一例である。
【符号の説明】
１２０  イラスト
【図１】
0003749138.tif 000003
【図２】
0003749138.tif 000004
【図３】
0003749138.tif 000005
【図４】
0003749138.tif 000006
【図５】
0003749138.tif 000007
【図６】
0003749138.tif 000008
【図７】
0003749138.tif 000009
【図８】
0003749138.tif 000010
【図９】
0003749138.tif 000011